【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
単一の事業者によって運用されるインターネットプロトコル(IP)マルチメディアサブシステム(IMS)ネットワークを運用する方法であって、
非セルラーアクセスネットワークに接続されるユーザ機器(UE)から、グループIMSセッションへの登録要求を受信するステップと、
前記UEが複数の場所地域からの所与の場所地域内で動作していることを指示する、前記UEに関連付けられる場所情報を入手するステップと、
前記複数の場所地域にわたって展開され、前記単一の事業者に代わってIMSサービスを提供するように構成される複数のアプリケーションサーバの中から、前記所与の場所地域内に展開される2つ以上のアプリケーションサーバを識別するステップと、
前記グループIMSセッションへの登録を要求し、前記所与の場所地域内に位置する任意のUEが、前記2つ以上の識別されたアプリケーションサーバから選択された単一のアプリケーションサーバに登録されることになると決定するステップと、
前記決定に基づいて、前記選択された単一のアプリケーションサーバに前記UEを登録するステップと、
を含む、方法。
【請求項２】
前記非セルラーアクセスネットワークまたはセルラーアクセスネットワークのいずれかに接続される別のUEから、前記グループIMSセッションへの別の登録要求を受信するステップと、
前記別のUEが前記所与の場所地域内で動作していることを指示する、前記別のUEに関連付けられる場所情報を入手するステップと、
前記決定に基づいて、前記選択された単一のアプリケーションサーバに前記別のUEを登録するステップと、
をさらに含む、請求項1に記載の方法。
【請求項３】
前記受信するステップ、前記入手するステップ、前記識別するステップ、前記決定するステップ、および前記登録するステップは、前記IMSネットワークのサービング呼セッション制御機能(S-CSCF)において実行される、請求項1に記載の方法。
【請求項４】
前記選択された単一のアプリケーションサーバは、前記2つ以上の識別されたアプリケーションサーバの中の、前記UEに最も近いアプリケーションサーバではなく、
前記選択された単一のアプリケーションサーバに前記UEを登録するステップは、前記所与の場所地域内の前記UEのための前記グループIMSセッションへの登録を、前記選択された単一のアプリケーションサーバに集中化させるために、前記選択された単一のアプリケーションサーバが前記最も近いアプリケーションサーバでないにもかかわらず行われる、
請求項1に記載の方法。
【請求項５】
前記場所情報は、前記単一の事業者のための前記複数のアプリケーションサーバが前記複数の場所地域の中で展開される場所を追跡するテーブルを保持するように構成される前記IMSネットワークのホーム加入者サーバ(HSS)から入手されるか、または、
前記場所情報は、前記IMSネットワークの外部にあり、前記単一の事業者のための前記複数のアプリケーションサーバが前記複数の場所地域の中で展開される場所を追跡するテーブルを保持するように構成されるサーバから入手されるか、または、
前記UEに関連付けられる前記場所情報は、前記グループIMSセッションへの前記登録要求内に含まれる前記UEの地理的場所の指示に対応するか、または、
前記場所情報は、前記UEと前記複数のアプリケーションサーバとの間の被試験ネットワーク伝搬遅延の結果に対応し、前記所与の場所地域は、前記被試験ネットワーク伝搬遅延の最も小さな値を有するアプリケーションサーバが展開される場所地域に対応する、請求項1に記載の方法。
【請求項６】
前記グループIMSセッションへの前記登録要求は、REGISTERメッセージである、請求項1に記載の方法。
【請求項７】
前記非セルラーアクセスネットワークは、WiFiネットワークまたはIEEE802.11ネットワークのようなIEEE802ネットワークに対応する、請求項1に記載の方法。
【請求項８】
前記単一の選択されたアプリケーションサーバの前記決定は、前記2つ以上のアプリケーションサーバにおける負荷レベルに少なくとも部分的に基づく、請求項1に記載の方法。
【請求項９】
前記選択された単一のアプリケーションサーバは、前記2つ以上のアプリケーションサーバの中の最も負荷レベルが低い所与のアプリケーションサーバに対応する、請求項8に記載の方法。
【請求項１０】
単一の事業者に代わってインターネットプロトコル(IP)マルチメディアサブシステム(IMS)サービスを提供するように構成され、通信ネットワークの第1の場所地域内に展開されるアプリケーションサーバを運用する方法であって、
IMSネットワークから、非セルラーアクセスネットワークに接続されるユーザ機器(UE)をIMSセッションに登録する要求を受信するステップと、
前記UEが前記第1の場所地域とは異なる第2の場所地域において動作していることを指示する、前記UEに関連付けられる場所情報を入手するステップと、
前記単一の事業者に代わってIMSサービスを提供するように構成され、前記第2の場所地域内に展開される1組のアプリケーションサーバを識別するためにアプリケーションサーバ場所データベースに問い合わせるステップと、
前記識別された1組のアプリケーションサーバから、前記IMSセッションのために前記UEを登録する異なるアプリケーションサーバを選択するステップと、
前記IMSセッションのための前記UEの登録を前記アプリケーションサーバから前記選択された異なるアプリケーションサーバにリダイレクトするステップと、
を含み、
前記IMSセッションはグループIMSセッションであり、
前記UEがリダイレクトされた前記選択された異なるアプリケーションサーバは、前記第2の場所地域内に位置する任意のUEが前記グループIMSセッションのために登録されることになる単一のアプリケーションサーバに対応する、
方法。
【請求項１１】
単一の事業者に代わってインターネットプロトコル(IP)マルチメディアサブシステム(IMS)サービスを提供し、通信ネットワークの所与の場所地域内に展開されるアプリケーションサーバを運用する方法であって、
IMSネットワークから、非セルラーアクセスネットワークに接続されるユーザ機器(UE)をグループIMSセッションに登録する要求を受信するステップと、
前記UEが前記所与の場所地域内で動作していることを指示する、前記UEに関連付けられる場所情報を入手するステップと、
前記グループIMSセッションへの登録を要求し、前記所与の場所地域内に位置する前記UEが、前記アプリケーションサーバとは異なる単一のアプリケーションサーバに登録されることを、前記IMSネットワークまたは前記アプリケーションサーバが、前記グループIMSセッションへの登録を要求する1つまたは複数の他のUEを処理するために前記単一のアプリケーションサーバを割り当てたことに基づいて、決定するステップと、
前記グループIMSセッションのための前記UEの登録を前記アプリケーションサーバから前記異なるアプリケーションサーバにリダイレクトするステップと、
を含む、方法。
【請求項１２】
単一の事業者によって運用されるインターネットプロトコル(IP)マルチメディアサブシステム(IMS)ネットワークであって、
非セルラーアクセスネットワークに接続されるユーザ機器(UE)から、グループIMSセッションへの登録要求を受信するための手段と、
前記UEが複数の場所地域からの所与の場所地域内で動作していることを指示する、前記UEに関連付けられる場所情報を入手するための手段と、
前記複数の場所地域にわたって展開され、前記単一の事業者に代わってIMSサービスを提供するように構成される複数のアプリケーションサーバの中から、前記所与の場所地域内に展開される2つ以上のアプリケーションサーバを識別するための手段と、
前記グループIMSセッションへの登録を要求し、前記所与の場所地域内に位置する任意のUEが、前記2つ以上の識別されたアプリケーションサーバから選択された単一のアプリケーションサーバに登録されることになることを決定するための手段と、
前記決定に基づいて前記選択された単一のアプリケーションサーバに前記UEを登録するための手段と、
を備える、インターネットプロトコル(IP)マルチメディアサブシステム(IMS)ネットワーク。
【請求項１３】
単一の事業者に代わってインターネットプロトコル(IP)マルチメディアサブシステム(IMS)サービスを提供するように構成され、通信ネットワークの第1の場所地域内に展開されるアプリケーションサーバであって、
IMSネットワークから、非セルラーアクセスネットワークに接続されるユーザ機器(UE)をIMSセッションに登録する要求を受信するための手段と、
前記UEが前記第1の場所地域とは異なる第2の場所地域内で動作していることを指示する、前記UEに関連付けられる場所情報を入手するための手段と、
前記単一の事業者に代わってIMSサービスを提供するように構成され、前記第2の場所地域内に展開される1組のアプリケーションサーバを識別するためにアプリケーションサーバ場所データベースに問い合わせるための手段と、
前記識別された1組のアプリケーションサーバから、前記IMSセッションのために前記UEを登録する異なるアプリケーションサーバを選択するための手段と、
前記IMSセッションのための前記UEの登録を前記アプリケーションサーバから前記選択された異なるアプリケーションサーバにリダイレクトするための手段と、
を備え、
前記IMSセッションはグループIMSセッションであり、
前記UEがリダイレクトされた前記選択された異なるアプリケーションサーバは、前記第2の場所地域内に位置する任意のUEが前記グループIMSセッションのために登録されることになる単一のアプリケーションサーバに対応する、
アプリケーションサーバ。
【請求項１４】
単一の事業者に代わってインターネットプロトコル(IP)マルチメディアサブシステム(IMS)サービスを提供するように構成され、通信ネットワークの所与の場所地域内に展開されるアプリケーションサーバであって、
IMSネットワークから、非セルラーアクセスネットワークに接続されるユーザ機器(UE)をグループIMSセッションに登録する要求を受信するための手段と、
前記UEが前記所与の場所地域内で動作していることを指示する、前記UEに関連付けられる場所情報を入手するための手段と、
前記グループIMSセッションへの登録を要求し、前記所与の場所地域内に位置する任意のUEが前記アプリケーションサーバとは異なる単一のアプリケーションサーバに登録されることを、前記IMSネットワークまたは前記アプリケーションサーバが、前記グループIMSセッションへの登録を要求する1つまたは複数の他のUEを処理するために前記単一のアプリケーションサーバを割り当てたことに基づいて、決定するための手段と、
前記グループIMSセッションのための前記UEの登録を前記アプリケーションサーバから前記異なるアプリケーションサーバにリダイレクトするための手段と、
を備える、アプリケーションサーバ。
【請求項１５】
単一の事業者によって運用されるインターネットプロトコル(IP)マルチメディアサブシステム(IMS)ネットワークによって実行されるときに、前記IMSネットワークに請求項1乃至11の何れか1項に記載の方法の動作を実行させる命令を記憶している非一時的コンピュータ可読記憶媒体。